(57)【要約】【課題】情報端末の操作性を向上することができる表示方法を提供する。【解決手段】情報端末の表示部に画面を表示する表示方法であって、当該表示方法は、それぞれ異なるエリア情報が示された複数の領域からいずれかの領域を選択するための基本画面を表示部に表示させる（Ｓ１１）。そして、基本画面において選択された領域に関連付けられた制御画面または情報表示画面を表示部に表示させる（Ｓ１３）。【選択図】図４
2019129345.tif 000002
【特許請求の範囲】
【請求項１】
情報端末の表示部に画面を表示する表示方法であって、
それぞれ異なるエリア情報が示された複数の領域からいずれかの領域を選択するための基本画面を前記表示部に表示させる基本画面表示ステップと、
前記基本画面において選択された領域に関連付けられた制御画面または情報表示画面を前記表示部に表示させる選択画面表示ステップとを含む、
表示方法。
【請求項２】
前記制御画面及び前記情報表示画面は、前記基本画面において選択された領域で示されたエリア情報を表示する領域を含む、
請求項１に記載の表示方法。
【請求項３】
前記制御画面は、前記基本画面において選択された領域に示されるエリアに属する１以上の機器によるシーン制御を選択させるための画面、及び、当該領域に示されるエリアに属する１以上の機器それぞれに対する制御を選択させるための画面の少なくとも一方を含む、
請求項１または２に記載の表示方法。
【請求項４】
前記選択画面表示ステップでは、
さらに、ユーザによる所定の操作を受け付けると、前記制御画面及び前記情報表示画面へ遷移させる遷移ステップを含む、
請求項１〜３のいずれか１項に記載の表示方法。
【請求項５】
前記情報表示画面は、前記基本画面において選択された領域に示されるエリアの環境に関する情報を表示するための画面である、
請求項１〜４のいずれか１項に記載の表示方法。
【請求項６】
前記情報表示画面は、前記環境に関する情報の種類の選択を受け付ける領域を含む、
請求項５に記載の表示方法。
【請求項７】
前記基本画面は、前記情報端末が公衆通信網を介して接続しているときに表示される画面である、
請求項１〜６のいずれか１項に記載の表示方法。
【請求項８】
前記複数の領域のそれぞれは、前記領域で示されたエリアに配置された機器及び前記領域で示されたエリアの環境に対して影響を与える機器の少なくとも一方を制御する制御装置であって施設が備える構造物に配置された制御装置に関連付けられている、
請求項１〜７のいずれか１項に記載の表示方法。
【請求項９】
請求項１〜８のいずれか１項に記載の表示方法をコンピュータに実行させるためのプログラム。
【請求項１０】
情報端末の表示部に画面を表示する表示システムであって、
それぞれ異なるエリア情報が示された複数の領域からいずれかの領域を選択するための基本画面を前記表示部に表示させる制御部を備え、
前記制御部は、
前記基本画面において選択された領域に関連付けられた制御画面または情報表示画面を前記表示部に表示させる、
表示システム。
【発明の詳細な説明】
【技術分野】
【０００１】
本発明は、情報端末の表示部に画面を表示する表示方法、プログラム、及び、表示システムに関する。
【背景技術】
【０００２】
従来、スマートフォンなどの携帯端末の操作性を向上させる技術が知られている。特許文献１には、ゲートウェイ装置に接続された施設内の機器を携帯端末等の情報端末から制御する機器制御システムが開示されている。
【先行技術文献】
【特許文献】
【０００３】
【特許文献１】特開２０１０−０９８３７４号公報
【発明の概要】
【発明が解決しようとする課題】
【０００４】
ところで、ユーザが、機器を制御するために操作する情報端末においても、操作性の向上が課題となる。
【０００５】
本発明は、情報端末の操作性を向上することができる表示方法、プログラム、及び、表示システムを提供する。
【課題を解決するための手段】
【０００６】
本発明の一態様に係る表示方法は、情報端末の表示部に画面を表示する表示方法であって、それぞれ異なるエリア情報が示された複数の領域からいずれかの領域を選択するための基本画面を前記表示部に表示させる基本画面表示ステップと、前記基本画面において選択された領域に関連付けられた制御画面または情報表示画面を前記表示部に表示させる選択画面表示ステップとを含む。
【０００７】
本発明の一態様に係るプログラムは、上記表示方法をコンピュータに実行させるためのプログラムである。
【０００８】
本発明の一態様に係る表示システムは、情報端末の表示部に画面を表示する表示システムであって、それぞれ異なるエリア情報が示された複数の領域からいずれかの領域を選択するための基本画面を前記表示部に表示させる制御部を備え、前記制御部は、前記基本画面において選択された領域に関連付けられた制御画面または情報表示画面を前記表示部に表示させる。
【発明の効果】
【０００９】
本発明によれば、ユーザがどの場所に対する操作かを認識した上で機器等の制御を行うことができるので、情報端末の操作性を向上することができる表示方法、プログラム、及び、表示システムが実現される。
【図面の簡単な説明】
【００１０】
【図１】図１は、実施の形態に係る表示方法が適用された機器制御システムの一例を示す図である。
【図２】図２は、実施の形態に係る機器制御システムの概要を示す図である。
【図３】図３は、実施の形態に係る情報端末の一例を示す構成図である。
【図４】図４は、実施の形態に係る情報端末の動作の一例を示すフローチャートである。
【図５】図５は、実施の形態に係る基本画面の一例を示す図である。
【図６Ａ】図６Ａは、実施の形態に係る制御画面の一例を示す図である。
【図６Ｂ】図６Ｂは、実施の形態に係る制御画面の一例を示す図である。
【図７】図７は、実施の形態に係る制御画面の別の一例を示す図である。
【図８Ａ】図８Ａは、実施の形態に係る情報表示画面の一例を示す図である。
【図８Ｂ】図８Ｂは、実施の形態に係る情報表示画面の一例を示す図である。
【図９Ａ】図９Ａは、実施の形態に係る環境情報表示画面の一例を示す図である。
【図９Ｂ】図９Ｂは、実施の形態に係る環境情報表示画面の一例を示す図である。
【図１０】図１０は、変形例１に係る基本画面の一例を示す図である。
【図１１Ａ】図１１Ａは、変形例１に係る情報表示画面の一例を示す図である。
【図１１Ｂ】図１１Ｂは、変形例１に係る情報表示画面の一例を示す図である。
【図１２】図１２は、変形例２に係る制御装置の斜視図である。
【図１３】図１３は、変形例２に係る制御装置の正面図である。
【発明を実施するための形態】
【００１１】
以下、実施の形態について、図面を参照しながら説明する。ここで示す実施の形態は、いずれも本発明の一具体例を示すものである。従って、以下の実施の形態で示される数値、形状、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１２】
（実施の形態１）
［機器制御システムの構成］
まず、実施の形態に係る機器制御システムの構成について説明する。図１は、実施の形態に係る表示方法が適用された機器制御システムの一例を示す図である。図２は、実施の形態に係る機器制御システムの概要を示す図である。実施の形態に係る表示方法は、情報端末１０の表示部に画面を表示する方法である。
【００１３】
機器制御システムは、情報端末１０によって施設５０に配置された機器を制御するためのシステムである。機器制御システムは、表示システムの一例でもある。機器制御システムによれば、ユーザが施設５０内に居るときだけでなく外出しているときにも、情報端末１０を用いて、機器の制御、及び、センサ（空気質センサ４４等）の検出結果の確認等が可能となる。
【００１４】
［施設５０］
施設５０は、ユーザが生活する施設であり、例えば、戸建てまたは集合住宅等であるが、特に限定はされない。図２に示す戸建住宅の例のように、施設５０内には、壁及び扉などで仕切られた複数の部屋（エリア）が含まれる。具体的には、複数の部屋は、部屋５２、部屋５２ａ、及び、部屋５２ｂである。複数の部屋はそれぞれ、リビング・ダイニング、寝室、及び、子供部屋といったように部屋を示す情報（エリア情報）で区別される。また、施設５０には、図１に示すように、アクセスポイント（ＡＰ）２０、ゲートウェイ装置３０及び様々な機器が設けられている。当該様々な機器として、ここでは、配電盤４１、照明器具４２、空調設備４３、空気質センサ４４及び電動カーテン４５等が示されている。
【００１５】
＜配電盤４１＞
配電盤４１は、電力計測機能及び無線通信機能を有する配電盤である。配電盤４１は、電力系統からの電力供給をオンまたはオフするための主幹ブレーカを有する。主幹ブレーカは、所定の電流（電力会社との契約で定められる電力に基づく電流）を超える電流が電力系統から流れたときに、電力系統からの電力の供給を停止するブレーカである。
【００１６】
また、配電盤４１は、幹線から分岐した複数の分岐回路ごとに、分岐ブレーカを有する。分岐ブレーカは、当該分岐ブレーカに接続された分岐回路に過電流が流れた場合に、当該分岐回路への電力の供給を停止するブレーカである。
【００１７】
また、配電盤４１は、ゲートウェイ装置３０からの要求に応じて、施設５０に配置された機器の電力使用状況等を示す情報をゲートウェイ装置３０へ送信する。
【００１８】
＜照明器具４２＞
照明器具４２は、施設５０に配置された機器の一例である。図２に示す例では、照明器具４２は、部屋５２等に配置される。照明器具４２は、室内を照明するいわゆるシーリングライトである。照明器具４２の具体的態様は、特に限定されず、ダウンライト、ペンダントライト、スポットライト、または、ブラケットライトなどであってもよい。照明器具４２は、具体的には、ＬＥＤ（Ｌｉｇｈｔ  Ｅｍｉｔｔｉｎｇ  Ｄｉｏｄｅ）を光源として備える。照明器具４２は、蛍光管、半導体レーザなどの半導体発光素子、または、有機ＥＬ（Ｅｌｅｃｔｒｏ  Ｌｕｍｉｎｅｓｃｅｎｃｅ）もしくは無機ＥＬなどの固体発光素子を光源として備えてもよい。
【００１９】
また、照明器具４２は、ゲートウェイ装置３０に動作状態（点灯中、消灯中、出力する光の調光率、色温度等）を示す情報を送信することができる。また、照明器具４２は、ゲートウェイ装置３０から受信した指示（制御指示）に基づいて発光または消灯することができる。
【００２０】
＜空調設備４３＞
空調設備４３は、施設５０に配置された機器の一例である。図２に示す例では、空調設備４３は、部屋５２等に配置され、一般家庭用の空調装置である。空調設備４３は、熱交換器（図示せず）などを有することにより、空調設備４３から送出される風の温度の調整が可能な空調装置（エアコン）である。つまり、空調設備４３は、送風機能及び冷暖房機能を有する。空調設備４３は、一般家庭用の空調装置に限定されず、産業用の空調装置であってもよい。
【００２１】
また、空調設備４３は、ゲートウェイ装置３０に動作状態（稼働中、停止中、設定温度等）を示す情報を送信することができる。また、空調設備４３は、ゲートウェイ装置３０から受信した制御指示に基づいて、運転モードの切り替え、及び、設定温度の変更を行うことができる。
【００２２】
＜空気質センサ４４＞
空気質センサ４４は、各部屋の空気質を検知する。例えば、空気質センサ４４は、空気質センサ４４が設置された部屋内における空気質の汚れ度合いを検知する。空気質センサ４４は、空気質を定期的に測定することによって空気質の経時的変化を蓄積することができる。これにより、空気質が悪化しているのか改善しているのかを把握することができる。
【００２３】
また、空気質センサ４４は、ゲートウェイ装置３０からの要求に応じて、検知した空気質または蓄積した空気質の経時的変化を示す情報等をゲートウェイ装置３０へ送信することができる。
【００２４】
＜電動カーテン４５＞
電動カーテン４５は、施設５０に配置された機器の一例であり、部屋５２等に配置され、カーテンの開閉を行う。電動カーテン４５は、ゲートウェイ装置３０からの要求に応じて、開閉状態を示す情報をゲートウェイ装置３０へ送信することができる。また、電動カーテン４５は、ゲートウェイ装置３０から受信した制御指示に基づいてカーテンを開閉することができる。
【００２５】
＜ＡＰ２０＞
ＡＰ２０は、例えば、無線ＬＡＮ（例えば、Ｗｉ−Ｆｉ（登録商標）等）のアクセスポイントである。
【００２６】
また、ＡＰ２０は、情報端末１０がＡＰ２０の通信範囲内にあるときは、ゲートウェイ装置３０と通信可能とするための無線機である。なお、ＡＰ２０は、情報端末１０及びその他の機器（ノートパソコン、ゲーム機等）を、インターネット等の施設５０の外部のネットワークに接続するための無線機であってもよい。ここでは、ＡＰ２０はルータ機能を有しており外部のネットワークとＡＰ２０とが直接接続されているが、ＡＰ２０はルータ機能を有さなくてもよく、ルータが別体に設けられていてもよい。
【００２７】
ＡＰ２０は、情報端末１０が施設５０の外に存在する場合には、外部のネットワークを介して、情報端末１０とゲートウェイ装置３０とを通信可能にさせてもよい。
【００２８】
＜ゲートウェイ装置３０＞
ゲートウェイ装置３０は、施設５０に配置された配電盤４１、照明器具４２、空調設備４３、空気質センサ４４及び電動カーテン４５等の機器が接続され、接続された機器を管理、制御等する機能を有するホームゲートウェイである。ゲートウェイ装置３０とこれらの機器とは、有線（例えばＲＳ−４８５等）で通信可能となっている。なお、ゲートウェイ装置３０とこれらの機器とが無線により通信可能となっていてもよい。また、ゲートウェイ装置３０はＡＰ２０と接続され、ＡＰ２０と有線（例えばイーサネット（登録商標）等）で通信可能となっている。ゲートウェイ装置３０は、情報端末１０とＡＰ２０を介して通信可能となっており、情報端末１０からの施設５０に配置された機器に対する制御指示に基づいて、当該機器を制御する。また、ゲートウェイ装置３０は当該機器の動作状態を示す情報（例えば、照明器具４２が点灯状態であることを示す情報等）を取得し、当該情報を情報端末１０に送信する。具体的には、ゲートウェイ装置３０は、配電盤４１、照明器具４２、空調設備４３、空気質センサ４４及び電動カーテン４５について、以下の動作をする。
【００２９】
ゲートウェイ装置３０は、配電盤４１から施設５０に配置された機器の電力使用状況等を示す情報を取得し、当該情報を情報端末１０へ送信する。
【００３０】
ゲートウェイ装置３０は、照明器具４２から動作状態（点灯中、消灯中、出力する光の調光率、色温度等）を示す情報を取得し、当該情報を情報端末１０へ送信する。また、ゲートウェイ装置３０は、情報端末１０から照明器具４２への制御指示（点灯指示、消灯指示、調光率変更指示、色温度変更指示等）を受信し、当該制御指示に基づいて照明器具４２を制御する。
【００３１】
ゲートウェイ装置３０は、空調設備４３から動作状態（稼働中、停止中、設定温度等）を示す情報を取得し、当該情報を情報端末１０へ送信する。また、ゲートウェイ装置３０は、情報端末１０から空調設備４３への制御指示（稼働指示、停止指示、設定温度更指示等）を受信し、当該制御指示に基づいて空調設備４３を制御する。
【００３２】
ゲートウェイ装置３０は、空気質センサ４４から空気質状態（温度、湿度、ＣＯ２濃度、ＰＭ２．５濃度等）を示す情報を取得し、当該情報を情報端末１０へ送信する。
【００３３】
ゲートウェイ装置３０は、電動カーテン４５から開閉状態を示す情報を取得し、当該情報を情報端末１０へ送信する。また、ゲートウェイ装置３０は、情報端末１０から電動カーテン４５への開閉指示（制御指示）を受信し、当該開閉指示に基づいて電動カーテン４５の開閉制御をする。
【００３４】
［情報端末１０］
次に、情報端末１０について、図３を用いて説明する。
【００３５】
図３は、実施の形態に係る情報端末１０の一例を示す構成図である。
【００３６】
情報端末１０は、制御部１１（プロセッサ（マイクロプロセッサ））、メモリ１３、通信インタフェース（図示しない通信回路等）、ユーザインタフェース（表示部１２等）等を含むコンピュータであり、例えば、スマートフォンまたはタブレット等の携帯端末である。ユーザインタフェースは、例えば、ＬＣＤ（Ｌｉｑｕｉｄ  Ｃｒｙｓｔａｌ  Ｄｉｓｐｌａｙ）等のディスプレイ、または、キーボード、タッチパネル等の入力装置を含む。表示部１２は、例えば、タッチパネルディスプレイであり、液晶パネル、または、有機ＥＬパネルなどによって実現される。メモリ１３は、ＲＯＭ、ＲＡＭ等であり、制御部１１により実行される制御プログラム（コンピュータプログラム）を記憶することができる。例えば制御部１１が、制御プログラム（コンピュータプログラム）に従って動作することにより、通信インタフェース及び表示部１２等を制御する処理を行うことができる。
【００３７】
［動作］
ここで、実施の形態に係る表示方法を実施する情報端末１０の動作について、図４を用いて説明する。
【００３８】
図４は、実施の形態に係る情報端末１０の動作の一例を示すフローチャートである。例えば、図４では、情報端末１０において、あるアプリケーション（例えば管理アプリケーションと呼ぶ）が起動されたときの情報端末１０の動作の一例を示している。管理アプリケーションは、例えば、情報端末１０を用いて、施設５０に配置された機器の制御、動作状態の確認、及び、センサ（空気質センサ等）の検出結果の確認等が可能となるプログラムである。なお、以下では、画面の表示に着目して説明をする。
【００３９】
まず、制御部１１は、基本画面を表示部１２に表示させる（Ｓ１１）。より具体的には、制御部１１は、それぞれ異なるエリア情報が示された複数の領域からいずれかの領域を選択するための基本画面を表示部１２に表示させる。基本画面については、後述する図５で説明する。
【００４０】
次に、制御部１１は、情報端末１０の表示部１２に表示される基本画面において一の領域が選択されたか否かを判定する（Ｓ１２）。例えば、ユーザのタッチ操作等により、基本画面に含まれる複数の領域のうちの一の領域が選択されたかを判定することができる。
【００４１】
ステップＳ１２において、制御部１１は、基本画面において一の領域が選択された場合（Ｓ１２でＹｅｓ）、制御画面または情報表示画面を表示部１２に表示させる（Ｓ１３）。より具体的には、制御部１１は、基本画面において選択された一の領域に関連付けられた制御画面または情報表示画面を表示部１２に表示させる。制御画面については後述する図６Ａ、図６Ｂ及び図７で詳細に説明する。また情報表示画面については、後述する図８Ａ及び図８Ｂで詳細に説明する。
【００４２】
＜基本画面＞
図５は、実施の形態に係る基本画面の一例を示す図である。
【００４３】
基本画面は、それぞれ異なるエリア情報が示された複数の領域が示され、当該複数の領域からいずれかの領域を選択するための画面であり、例えば部屋選択画面である。基本画面は、情報端末１０においてアプリケーションが起動されたときに、または、情報端末１０の表示部１２が一定期間操作されなかった後に操作されたときに表示部１２に表示される画面である。より具体的には、基本画面は、例えば表示部１２に黒画が表示されているときに表示部１２が操作された後、最初に表示される画面である。また、基本画面は、アプリケーションが起動されている場合にさらにリセット操作されたときに表示部１２に最初に表示される操作用の画面（ユーザの操作が受け付けられる画面）であってもよい。リセット操作には、情報端末１０の電源をオンする操作などが含まれる。つまり、基本画面は、例えば操作の対象となる部屋の名称等（エリア情報）が示された領域であってタッチ操作等により選択可能な領域を少なくとも１つ含む画面である。基本画面は、ユーザが施設５０の操作対象となる部屋で快適に過ごすことができるように、操作対象となる部屋に属する機器に対して望まれる制御を可能とするための画面となる。なお、基本画面には、製造メーカのロゴマークを含む画面であって操作の対象とならない画面などは含まれない。
【００４４】
図５には、表示部１２に表示された基本画面の一例が示されている。図５に示す基本画面には、宅内アイコン１０１、エリア指定アイコン１１１〜１１４、及び、画面遷移アイコン１１５が含まれる。
【００４５】
宅内アイコン１０１は、情報端末１０が施設５０内にあることを示すアイコン（画像）である。
【００４６】
エリア指定アイコン１１１〜１１４は、それぞれ異なるエリア情報が示された複数の領域の一例である。エリア指定アイコン１１１〜１１４は、施設５０内で区画されたエリア（場所）であるリビング・ダイニング、子供部屋、寝室、書斎等の部屋に属する機器に対する制御等を行うためのアイコン（画像）である。そして、エリア指定アイコン１１１〜１１４には、それぞれエリア情報としてリビング・ダイニング、子供部屋、寝室、書斎等の部屋名が示されている。エリア指定アイコン１１１〜１１４のいずれかが操作されることで、対応するエリアに属する機器に対するシーン制御もしくは個別制御の制御画面の表示または情報表示画面の表示が行われる。例えば、ユーザが、エリア指定アイコン１１１を選択操作すると、シーン制御画面が表示され、シーン制御画面によりリビング・ダイニングに属する機器に対するシーン制御を行うことができる。つまり、ユーザは、どのエリアに対する操作かを認識した上で、選択したエリアに属する機器のシーン制御をすることができる。制御画面及び情報表示画面については後述する。
【００４７】
画面遷移アイコン１１５は、例えば数多くのエリア指定アイコンがあってこれらを１つの画面に表示しきれない場合に、表示部１２の表示内容を変更した画面に遷移するためのアイコンまたはボタン（画像）であってもよい。例えば、画面遷移アイコン１１５が操作されることで、エリア指定アイコン１１１〜１１４と異なるエリア指定アイコンを含む画面に遷移されてもよい。また、画面遷移アイコン１１５が操作されることで、後述する施設５０全体の環境に関する情報を表示する環境情報表示画面に遷移されてもよい。
【００４８】
なお、表示部１２がフリック操作及びスワイプ操作に対応している場合には、画面遷移アイコン１１５を操作しなくても、スワイプ操作またはフリック操作を行うことにより、上述したように表示部１２の表示内容を変更すなわち画面を遷移させてもよい。
【００４９】
＜制御画面＞
制御画面は、情報端末１０の表示部１２に表示される基本画面において選択された一の領域に関連付けられた画面であり、基本画面において一の領域を選択した際に表示される。制御画面には、基本画面において選択された領域で示されたエリア情報を表示する領域が含まれている。例えば、制御画面は、基本画面において選択された領域に属する１以上の機器によるシーン制御を選択させるための画面、すなわちシーン制御画面であってもよい。また、例えば、制御画面は、当該領域に属する１以上の機器それぞれに対する制御を選択させるための画面、すなわち個別制御画面であってもよい。
【００５０】
ここで、シーン制御は、施設５０内を所定の室内環境に近づけるために、施設５０内に配置された複数の機器の少なくとも一部を動作させる制御である。シーン制御では、例えば、基本画面において選択された一の領域に示されるエリア（場所）に属する複数の機器であって機能が異なる複数の機器が一括して制御される。つまり、シーン制御は、予め定められた所定のシーンを実現するために施設５０の所定エリア内を所定の室内環境に近づける制御がワンタッチで行われる制御である。
【００５１】
また、個別制御は、施設５０内に配置された複数の機器のうちの一の機器を個別に動作させる制御である。個別制御では、基本画面において選択された一の領域に示されるエリア（場所）に属する複数の機器のうちの一の機器について制御される。
【００５２】
≪シーン制御画面≫
図６Ａ及び図６Ｂは、実施の形態に係る制御画面の一例を示す図である。なお、図５と同様の要素、並びに、図６Ａ及び図６Ｂで互いに同様の要素には同一の符号を付している。
【００５３】
図６Ａ及び図６Ｂには、表示部１２に表示された制御画面としてのシーン制御画面の一例が示されている。図６Ａに示すシーン制御画面は、図５に示されるエリア指定アイコン１１１（リビング・ダイニング指定アイコン）が選択された後に表示される画面である。図６Ｂに示すシーン制御画面は、図６Ａに示すシーン制御画面と異なる制御画面であり、図６Ａに示すシーン制御画面から遷移される画面である。
【００５４】
図６Ａに示すシーン制御画面には、宅内アイコン１０１、シーン内容指定アイコン１２１〜１２４、画面遷移アイコン１２５、及び画面切替アイコン１２６が含まれる。図６Ｂに示すシーン制御画面には、同様に、宅内アイコン１０１、シーン内容指定アイコン１２８〜１３０、画面遷移アイコン１２７、及び画面切替アイコン１２６が含まれる。
【００５５】
図６Ａに示すシーン制御画面には、選択されたエリア指定アイコン１１１で示されたエリア情報すなわちリビング・ダイニングが含まれている。これにより、ユーザが選択したエリア（場所）を確認しながら、シーン制御を行うことができる。
【００５６】
シーン内容指定アイコン１２１〜１２４は、予め定められた所定のシーンを実現するために基本画面において選択した領域に示されるエリア（場所）内を所定の室内環境に近づける制御内容を指定するめのアイコン（画像）である。換言すると、シーン内容指定アイコン１２１〜１２４は、ユーザの生活シーンに合わせて施設５０の選択されたエリアに属する機器の制御内容を指定するためのアイコン（画像）である。シーン内容指定アイコン１２１〜１２４のいずれかが選択操作されることで、操作されたシーン内容指定アイコンに対応するシーン制御が選択された操作対象の領域に示されるエリア（場所）に属する機器に対して行われる。例えば、ユーザが、シーン内容指定アイコン１２３を選択操作すると、選択された領域に示されるエリア（場所）であるリビング・ダイニングにおいてユーザの起床時に適した制御が行われる。具体的には、リビング・ダイニングの照明器具４２がオンされ、リビング・ダイニングにある電動カーテン４５が開かれ、空調設備がオンされる。
【００５７】
画面遷移アイコン１２５は、例えば数多くのシーン内容指定アイコンがあってこれらを１つの画面に表示しきれない場合に、表示部１２の表示内容を変更するためのアイコン（画像）である。例えば、画面遷移アイコン１２５が操作されることで、シーン内容指定アイコン１２１〜１２４を含む画面から、図６Ｂに示すようなシーン内容指定アイコン１２８〜１３０を含む画面に遷移される。同様に、図６Ｂに示すシーン制御画面において、画面遷移アイコン１２７が操作されることで、シーン内容指定アイコン１２８〜１３０を含む画面から、図６Ａに示すようなシーン内容指定アイコン１２１〜１２４を含む画面に遷移される。
【００５８】
なお、表示部１２がフリック操作及びスワイプ操作に対応している場合には、画面遷移アイコン１２５を操作しなくても、スワイプ操作またはフリック操作を行うことにより、シーン内容指定アイコン１２１〜１２４を含む画面とシーン内容指定アイコン１２８〜１３０を含む画面との間を遷移させてもよい。このように、図６Ａに示すシーン制御画面と図６Ｂに示すシーン制御画面とは互いに、ユーザによる所定の操作を受け付けて遷移される。
【００５９】
画面切替アイコン１２６は、異なる制御画面（個別制御画面）に切り替えるためのアイコン（画像）である。例えば、画面切替アイコン１２６が操作されることで、図７に示すような個別制御画面が表示される。なお、表示部１２がフリック操作及びスワイプ操作に対応している場合には、画面切替アイコン１２６を操作しなくても、スワイプ操作またはフリック操作を行うことにより、図７に示すような個別制御画面に表示内容を変更すなわち画面を遷移させてもよい。
【００６０】
≪個別制御画面≫
図７は、実施の形態に係る制御画面の別の一例を示す図である。図７には、表示部１２に表示された制御画面としての個別制御画面の一例が示されている。図７に示す個別制御画面は、図６Ａまたは図６Ｂに示されるシーン制御画面から、ユーザによる所定の操作を受け付けて遷移される。
【００６１】
図７に示す個別制御画面には、宅内アイコン１０１、制御内容指定アイコン１３１〜１３５、画面遷移アイコン１３６、及び画面切替アイコン１３７、１３８が含まれる。図７に示す個別制御画面にも、基本画面において選択されたエリア指定アイコン１１１で示されたエリア情報すなわちリビング・ダイニングが含まれている。これにより、ユーザが選択した領域に示されるエリア（場所）を確認しながら、機器の個別制御を行うことができる。
【００６２】
制御内容指定アイコン１３１〜１３５は、基本画面において選択された施設５０の領域に示されるエリア（場所）に属する一機器である空調設備４３（例えばエアコン１）の制御内容を指定するためのアイコン（画像）である。制御内容指定アイコン１３１〜１３５のいずれかが選択操作されることで、制御内容指定アイコンに対応する機器制御がエアコン１に対して行われる。
【００６３】
画面遷移アイコン１３６は、個別制御の対象となる機器を変更するためのアイコン（画像）である。例えば、画面遷移アイコン１３６が操作されることで、エアコン１を制御するための画面から、例えば電動カーテンを制御するための画面（不図示）に遷移される。
【００６４】
なお、表示部１２がフリック操作及びスワイプ操作に対応している場合には、画面遷移アイコン１３６を操作しなくても、スワイプ操作またはフリック操作を行うことにより、エアコン１を制御するための画面と電動カーテンを制御するための画面と間で画面を遷移させてもよい。
【００６５】
画面切替アイコン１３７は、異なる制御画面（シーン制御画面）に切り替えるためのアイコン（画像）である。例えば、画面切替アイコン１３７が操作されることで、図６Ａに示すようなシーン制御画面が表示される。なお、表示部１２がフリック操作及びスワイプ操作に対応している場合には、画面切替アイコン１３７を操作しなくても、スワイプ操作またはフリック操作を行うことにより、図６Ａに示すようなシーン制御画面に表示内容を変更すなわち画面遷移してもよい。
【００６６】
画面切替アイコン１３８は、画面を情報表示画面に切り替えるためのアイコン（画像）である。例えば、画面切替アイコン１３８が操作されることで、後述する図８Ａに示すような情報表示画面が表示される。なお、表示部１２がフリック操作及びスワイプ操作に対応している場合には、画面切替アイコン１３８を操作しなくても、スワイプ操作またはフリック操作を行うことにより後述する図８Ａに示すような情報表示画面に表示内容を変更すなわち画面遷移してもよい。
【００６７】
＜情報表示画面＞
図８Ａ及び図８Ｂは、実施の形態に係る情報表示画面の一例を示す図である。なお、図５と同様の要素には同一の符号を付している。
【００６８】
情報表示画面は、情報端末１０の表示部１２に表示される基本画面において選択された一の領域に関連付けられた画面である。情報表示画面には、基本画面において選択された領域で示されたエリア情報を表示する領域が含まれている。例えば、情報表示画面は、基本画面において選択された領域に示されるエリアの環境に関する情報を表示するための画面であり、当該エリアの環境に関する情報の種類の選択を受け付ける領域を含んでもよい。
【００６９】
図８Ａには、表示部１２に表示された情報表示画面としてリビング・ダイニングにおける現在の空気質の一例が示されている。図８Ａに示す情報表示画面は、図７に示される個別制御画面から、ユーザによる所定の操作を受け付けて遷移される。図８Ｂには、表示部１２に表示された情報表示画面としてリビング・ダイニングにおける空気質グラフの一例が示されている。図８Ｂに示す情報表示画面は、図８Ａに示される情報表示画面から、ユーザによる所定の操作を受け付けて遷移される。なお、図８Ａ及び図８Ｂに示す情報表示画面にも、基本画面において選択されたエリア指定アイコン１１１で示されたエリア情報すなわちリビング・ダイニングが含まれている。これにより、ユーザが選択した領域に示されるエリア（場所）を確認しながら、情報表示内容の確認を行うことができる。
【００７０】
図８Ａ及び図８Ｂに示す情報表示画面には、宅内アイコン１０１、表示内容指定アイコン１４１、１４２、及び画面切替アイコン１４３が含まれる。
【００７１】
表示内容指定アイコン１４１、１４２は、基本画面において選択された施設５０の領域に示されるエリア（場所）の環境に関する情報の表示内容を指定するためのアイコン（画像）である。図８Ａに示す例では、表示内容指定アイコン１４１が選択されており、リビング・ダイニングの空気質に関する情報（湿度、温度、ＣＯ２濃度、ＰＭ２．５）が示されている。そして、表示内容指定アイコン１４２を選択操作することで、リビング・ダイニングにおける空気質グラフを表示させることができる。
【００７２】
なお、図８Ｂに示す情報表示画面において、環境に関する情報の種類であるＰＭ２．５、ＣＯ２、湿温度が表示されたアイコン（画像）がある。ユーザがいずれかのアイコンを選択することにより、選択された環境に関する情報の種類に関するグラフを表示することができる。
【００７３】
画面切替アイコン１４３は、画面を個別制御画面に切り替えるためのアイコン（画像）である。例えば、画面切替アイコン１４３が操作されることで、図７に示すような個別制御画面が表示される。なお、表示部１２がフリック操作及びスワイプ操作に対応している場合には、画面切替アイコン１４３を操作しなくても、スワイプ操作またはフリック操作を行うことにより図７に示すような個別制御画面に表示内容を変更すなわち画面遷移してもよい。
【００７４】
＜環境情報表示画面＞
図９Ａ及び図９Ｂは、実施の形態に係る環境情報表示画面の一例を示す図である。なお、図８Ａ及び図８Ｂと同様の要素には同一の符号を付している。
【００７５】
環境情報表示画面は、施設５０全体の環境に関する情報を表示するための画面である。
【００７６】
図９Ａには、表示部１２に表示された環境情報表示画面として施設５０全体における現在の電力量の一例が示されている。図９Ａに示す環境情報表示画面は、図５に示される基本画面から、ユーザによる所定の操作を受け付けて遷移される画面である。図９Ｂには、表示部１２に表示された環境情報表示画面として施設５０全体における前日及び今日の電力量グラフの一例が示されている。図９Ｂに示す環境情報表示画面は、図９Ａに示される環境情報表示画面から、ユーザによる所定の操作を受け付けて遷移される画面である。
【００７７】
図９Ａ及び図９Ｂに示す環境情報表示画面には、宅内アイコン１０１、表示内容指定アイコン１５１、１５２、及び画面切替アイコン１５３が含まれる。
【００７８】
表示内容指定アイコン１５１、１５２は、施設５０全体の環境に関する情報の表示内容を指定するためのアイコン（画像）である。図９Ａに示す例では、表示内容指定アイコン１５１が選択されており、施設５０全体の現在の電力量が示されている。そして、表示内容指定アイコン１５２を選択操作することで、施設５０全体の前日及び今日の電力量グラフを表示させることができる。
【００７９】
なお、図９Ｂに示す環境情報表示画面において、日、月、年が表示されたアイコン（画像）がある。ユーザがいずれかのアイコンを選択することにより、選択された期間の施設５０全体の電力量グラフを表示することができる。
【００８０】
画面切替アイコン１５３は、画面を基本画面に切り替えるためのアイコン（画像）である。例えば、画面切替アイコン１５３が操作されることで、図５に示すような基本画面が表示される。なお、表示部１２がフリック操作及びスワイプ操作に対応している場合には、画面切替アイコン１５３を操作しなくても、スワイプ操作またはフリック操作を行うことにより図５に示すような基本画面に表示内容を変更すなわち画面遷移してもよい。
【００８１】
［まとめ］
以上説明したように、本実施の形態に係る表示方法は、情報端末１０の表示部１２に画面を表示する表示方法である。当該表示方法では、それぞれ異なるエリア情報が示された複数の領域からいずれかの領域を選択するための基本画面を表示部１２に表示する。そして、基本画面において選択された領域に関連付けられた制御画面または情報表示画面を表示部１２に表示する。
【００８２】
これによれば、ユーザがどの場所に対する操作かを認識した上で機器等の制御を行うことができるので、情報端末１０の操作性を向上することができる。
【００８３】
また、制御画面及び情報表示画面は、基本画面において選択された領域で示されたエリア情報を表示する領域を含んでもよい。
【００８４】
これにより、ユーザが選択した領域に示されるエリア（場所）を確認しながら、制御画面における制御及び情報表示画面の内容確認を行うことができる。
【００８５】
また、制御画面は、基本画面において選択された領域に示されるエリアに属する１以上の機器によるシーン制御を選択させるための画面、及び、当該領域に示されるエリアに属する１以上の機器それぞれに対する制御を選択させるための画面の少なくとも一方を含んでもよい。
【００８６】
これにより、ユーザが選択した領域に示されるエリア（場所）を認識した上で、シーン制御または機器それぞれの制御すなわち個別制御を行うことができる。
【００８７】
また、当該表示方法では、さらに、ユーザによる所定の操作を受け付けると、制御画面及び情報表示画面へ遷移させてもよい。
【００８８】
これによれば、アイコン、ボタンの選択操作またはフリック操作、スワイプ操作により制御画面及び情報表示画面を確認しながら、次に閲覧したい画面へ遷移させることができる。
【００８９】
また、情報表示画面は、基本画面において選択された領域に示されるエリアの環境に関する情報を表示するための画面であってもよい。
【００９０】
これによれば、ユーザが確認したいエリア（場所）すなわち基本画面において選択した領域に示されるエリア（場所）を認識しながら、空気質、電力量などの環境に関する情報（環境情報）を確認できる。
【００９１】
また、情報表示画面は、当該環境に関する情報の種類の選択を受け付ける領域を含んでいてもよい。
【００９２】
これによれば、ユーザが環境情報を確認しながら、次に確認したい環境情報を選択できる。
【００９３】
（変形例１）
上記実施の形態では、ユーザが施設５０内に存在すなわち情報端末１０が施設５０内に存在する場合を例に挙げて説明したが、これに限らない。情報端末１０を携帯するユーザが外出しており、情報端末１０が施設５０の外に存在してもよい。以下、この場合について上記実施の形態と異なる部分を中心に説明する。
【００９４】
情報端末１０は、上記実施の形態で説明した通りである。本変形例では、情報端末１０は、施設５０の外に存在するので、施設５０の外部のネットワークを介して、ＡＰ２０と接続し、ゲートウェイ装置３０と通信可能となる。
【００９５】
なお、その他の構成及び情報端末１０の動作は上記実施の形態で説明した通りであるが、本変形例では、情報端末１０は施設５０の外に存在するので、制御画面及び情報表示画面の表示内容に制約がある。また、施設５０の外に存在する情報端末１０の基本画面には領域が一つ追加される。
【００９６】
＜基本画面＞
図１０は、変形例１に係る基本画面の一例を示す図である。図５と同様の要素には同一の符号を付している。
【００９７】
図１０に示す基本画面は、情報端末１０が公衆通信網を介して接続しているときに表示される画面である。また、図１０に示す基本画面は、外出しているユーザが、外出中にもかかわらず施設５０の領域に示されるエリア（場所）に属する機器に対して行いたいと考える制御を可能とするための画面となる。
【００９８】
図１０に示される基本画面は、図５に示す基本画面に対して、宅内アイコン１０１が宅外アイコン１０２に変更され、エリアとして施設５０全体すなわち家全体を示すエリア指定アイコン１６５が追加されている点が異なる。
【００９９】
エリア指定アイコン１６５は、施設５０全体（家全体）に属する機器に対するシーン制御もしくは個別制御または情報表示画面の表示を行うためのアイコン（画像）である。詳細は、上記実施の形態で説明した通りであるので、ここでの説明は省略する。
【０１００】
図１１Ａ及び図１１Ｂは、変形例１に係る情報表示画面の一例を示す図である。なお、図８Ａ及び図８Ｂと同様の要素には同一の符号を付している。
【０１０１】
図１１Ａに示される情報表示画面は、図８Ａに示す情報表示画面と同じであり、情報表示画面の表示内容の制約はない。一方、図１１Ｂに示される情報表示画面には、図８Ｂに示す情報表示画面は表示されず、図８Ｂに示す情報表示画面が表示できない旨を示すメッセージが表示されることになる。このように、図１１Ｂに示される情報表示画面は、図８Ｂに示す情報表示画面と異なっており、情報表示画面の表示内容の制約がある。
【０１０２】
また、情報端末１０が施設５０の外に存在し、公衆通信網を介して接続しているときには、情報表示画面に表示される内容も異なっていてもよい。情報表示画面において、例えば照明器具４２を消し忘れている状態を示す旨のメッセージ等が表示されてもよい。これにより、ユーザはこのようなメッセージを見ることで照明の消し忘れを認識でき、表示部１２に表示される画面を制御画面に遷移させることにより、すぐさま照明器具４２の消灯を行うことができる。
【０１０３】
また、例えば、シーン制御画面において、例えば施設５０に人が居るように見えるように制御するための防犯アイコンが含まれていてもよい。ユーザがこのアイコンを選択操作すると、例えば、時間の経過とともに照明器具４２が点灯または消灯されたり、電動カーテンが開閉されたりすることで、施設５０内を人が移動しているように見せかけることができる。
【０１０４】
［まとめ］
以上説明したように、本変形例に係る表示方法は、情報端末１０の表示部１２に画面を表示する表示方法である。当該表示方法では、それぞれ異なるエリア情報が示された複数の領域からいずれかの領域を選択するための基本画面を表示部１２に表示する。そして、基本画面において選択された領域に関連付けられた制御画面または情報表示画面を表示部１２に表示する。
【０１０５】
これによれば、ユーザがどの場所に対する操作かを認識した上で機器等の制御を行うことができるので、情報端末１０の操作性を向上することができる。
【０１０６】
また、基本画面は、情報端末１０が公衆通信網を介して接続しているときに表示される画面であってもよい。
【０１０７】
これによれば、遠隔地において、どの場所（エリア）に対する操作かを認識したうえで操作できる。
【０１０８】
（変形例２）
上記実施の形態では、情報端末１０がゲートウェイ装置３０と通信して、施設５０内に存在する機器に対する制御等を行う場合について説明したが、これに限らない。施設５０内に配置された操作パネルなどの制御装置６０が、施設５０内に存在する機器に対する制御等を行ってもよい。そして、情報端末１０は、ＡＰ２０を介して、制御装置６０と通信することで、上記実施の形態と同様の制御等を行ってもよい。以下、この場合について上記実施の形態と異なる部分を中心に説明する。
【０１０９】
［制御装置６０］
図１２は、変形例２に係る制御装置６０の斜視図である。図１３は、変形例２に係る制御装置６０の正面図である。
【０１１０】
図１及び図２に示す機器制御システムが備える制御装置６０は、ＡＰ２０を介してゲートウェイ装置３０と通信することで、制御装置６０のあるエリアに配置された機器及び当該エリアの環境に対して影響を与える機器の少なくとも一方を制御する。例えば部屋５２内に配置された制御装置６０は、部屋５２に属する照明器具４２、空調設備４３、及び、電動カーテン４５を制御する。つまり、制御装置６０は、施設５０内で区画されたエリア（場所）ごとに設置され、設置されたエリア（場所）に属する機器をユーザが制御するためのコントローラである。制御装置６０は、いわゆる壁スイッチ（壁スイッチ装置）としても機能する。
【０１１１】
図２及び図１２に示されるように、制御装置６０は、例えば部屋５２の壁５３に配置される。壁５３は、施設５０が備える構造物の一例である。制御装置６０は、壁５３に埋め込まれたスイッチボックス５４に筐体６８の少なくとも一部が収容された状態で、壁５３に配置される。筐体６８は、例えば、樹脂によって形成されるが、一部または全部が金属によって形成されてもよい。制御装置６０の取り付け方法は、汎用の壁スイッチとほぼ同様であり、スイッチボックス５４も壁スイッチ用のものが使用できる。
【０１１２】
また、制御装置６０は、いわゆるＧＵＩ（Ｇｒａｐｈｉｃａｌ  Ｕｓｅｒ  Ｉｎｔｅｒｆａｃｅ）として機能する。制御装置６０の表示部６５には、例えば図１３に示されるように、シーン内容指定アイコン（ボタン）６１１〜６１４、画面遷移アイコン６１５、及び画面切替アイコン６１６を含む操作画像が表示される。表示部６５は、液晶パネル、または、有機ＥＬパネルなどによって実現される。
【０１１３】
操作画像は、表示部６５の表示領域の全体に表示され、シーン内容指定アイコン６１１〜６１４は、表示部６５の表示領域の一部に表示される。シーン内容指定アイコン６１１〜６１４は、制御装置６０が設置されたエリア（場所）において予め定められた所定のシーンを実現するために当該エリア（場所）を所定の室内環境に近づける制御内容を指定するめのアイコン（画像）である。シーン内容指定アイコン６１１〜６１４のいずれかが選択操作されることで、操作されたシーン内容指定アイコンに対応するシーン制御が当該エリア（場所）に属する機器に対して行われる。
【０１１４】
画面遷移アイコン６１５は、例えば数多くのシーン内容指定アイコンがあってこれらを１つの画面に表示しきれない場合に、表示部６５の操作画像を変更するためのアイコン（画像）である。例えば、画面遷移アイコン６１５が操作されることで、シーン内容指定アイコン６１１〜６１４を含む操作画像から、これらと異なるシーン内容指定アイコンを含む操作画像に遷移される。
【０１１５】
なお、表示部６５がフリック操作及びスワイプ操作に対応している場合には、画面遷移アイコン６１５を操作しなくても、スワイプ操作またはフリック操作を行うことにより、操作画像を遷移させてもよい。このように、図１３に示す操作画像は、ユーザによる所定の操作を受け付けて遷移される。
【０１１６】
画面切替アイコン６１６は、操作画像を切り替えるためのアイコン（画像）である。例えば、画面切替アイコン６１６が操作されることで、制御装置６０が設置されたエリア（場所）に属する一の機器を個別制御するための操作画像に切り替えられる。個別制御するための操作画像には制御内容指定アイコンが含まれるが、図７を用いて説明したものと同様のため説明を省略する。なお、表示部６５がフリック操作及びスワイプ操作に対応している場合には、画面切替アイコン６１６を操作しなくても、スワイプ操作またはフリック操作を行うことにより、制御装置６０が設置されたエリア（場所）に属する一の機器を個別制御するための操作画像に遷移させてもよい。
【０１１７】
［変形例２に係る情報端末１０］
変形例２に係る情報端末１０は、ＡＰ２０を介して、制御装置６０と通信することで、上記実施の形態で説明した制御等を実現させてもよい。
【０１１８】
より具体的には、図５に示す基本画面において、エリア指定アイコン１１１〜１１４はそれぞれ、エリア指定アイコン１１１〜１１４が示すエリア情報であるリビング・ダイニング、子供部屋、寝室、書斎に設置された制御装置６０に関連付けられている。つまり、エリア指定アイコン１１１〜１１４のいずれかが操作されることで、対応する制御装置６０と通信し、当該制御装置６０を介して、当該制御装置６０が設置されたエリア（場所）を快適にするための制御が施設５０に属する機器に対して行われる。具体的には、エリア指定アイコン１１１〜１１４のいずれかが操作されることで、対応する制御装置６０と通信し、対応する制御装置６０が表示するシーン内容指定アイコン６１１〜６１４をシーン内容指定アイコン１２１〜１２４として表示するシーン制御画面を表示する。
【０１１９】
［まとめ］
以上説明したように、本変形例に係る表示方法は、情報端末１０の表示部１２に画面を表示する表示方法である。当該表示方法では、それぞれ異なるエリア情報が示された複数の領域からいずれかの領域を選択するための基本画面を表示部１２に表示する。そして、基本画面において選択された領域に関連付けられた制御画面または情報表示画面を表示部１２に表示する。
【０１２０】
また、複数の領域のそれぞれは、当該領域で示されたエリアに配置された機器及び当該領域で示されたエリアの環境に対して影響を与える機器の少なくとも一方を制御する制御装置６０であって施設５０が備える構造物に配置された制御装置６０に関連付けられてもよい。
【０１２１】
これによれば、制御装置６０と基本画面に表示される領域とが関連付けられることで、ユーザが認識しやすい形で制御装置６０ごとの制御等を行うことができる。
【０１２２】
（その他の実施の形態）
以上、実施の形態に係る表示方法について説明したが、本発明は、上記実施の形態に限定されるものではない。
【０１２３】
また、本発明は、表示方法として実現できるだけでなく、表示方法をコンピュータ（コンピュータシステム）に実行させるためのプログラムとして実現できる。さらに、本発明は、そのプログラムを記録したＣＤ−ＲＯＭ等であるコンピュータで読み取り可能な非一時的な記録媒体として実現できる。
【０１２４】
例えば、本発明が、プログラム（ソフトウェア）で実現される場合には、コンピュータのＣＰＵ、メモリ及び入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【０１２５】
また、上記実施の形態の情報端末１０に含まれる各構成要素は、専用または汎用の回路として実現されてもよい。
【０１２６】
また、上記実施の形態の情報端末１０に含まれる各構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【０１２７】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続及び設定が再構成可能なリコンフィギュラブル・プロセッサが、利用されてもよい。
【０１２８】
さらに、半導体技術の進歩または派生する別技術によりＬＳＩに置き換わる集積回路化の技術が登場すれば、当然、その技術を用いて、情報端末１０に含まれる各構成要素の集積回路化が行われてもよい。
【０１２９】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１３０】
１０  情報端末
１１  制御部
１２  表示部
６０  制御装置
【図１】
2019129345.tif 000003
【図２】
2019129345.tif 000004
【図３】
2019129345.tif 000005
【図４】
2019129345.tif 000006
【図５】
2019129345.tif 000007
【図６Ａ】
2019129345.tif 000008
【図６Ｂ】
2019129345.tif 000009
【図７】
2019129345.tif 000010
【図８Ａ】
2019129345.tif 000011
【図８Ｂ】
2019129345.tif 000012
【図９Ａ】
2019129345.tif 000013
【図９Ｂ】
2019129345.tif 000014
【図１０】
2019129345.tif 000015
【図１１Ａ】
2019129345.tif 000016
【図１１Ｂ】
2019129345.tif 000017
【図１２】
2019129345.tif 000018
【図１３】
2019129345.tif 000019